(57)【要約】【課題】  トラヒックに偏りがあり絶えず送信速度が変化する回線に対しても送信停止解除の要求を有効に実現する。【解決手段】  送信ブロック２０から送信されたパケットデータを受信する受信ブロック１０から、送信ブロック２０からのパケットデータの送信停止を指定するための速度指示信号５１が送信された場合、送信停止が指定されてから現在の送信ブロック２０におけるパケットデータの送信速度に応じて予め決められた時間経過後に、送信停止解除を要求する要求信号５２を送信ブロック２０から受信ブロック１０に送信する。【選択図】図１
2005340914.tif 000002
【特許請求の範囲】
【請求項１】
通信データを通信回線上に送信する送信側装置と、前記送信側装置から送信された通信データを受信するとともに、前記送信側装置からの通信データの送信速度あるいは送信停止を指定するための速度指示信号を前記送信側装置に送信する受信側装置とを有し、前記送信側装置は、前記受信側装置から送信された前記速度指示信号によって通信データの送信速度が指定された場合、該送信速度で通信データを送信し、前記速度指示信号によって通信データの送信停止が指定された場合、送信停止が指定されてから所定時間経過後に、送信停止解除を要求する要求信号を前記受信側装置に送信するフロー制御システムにおいて、
前記送信側装置は、前記速度指示信号によって通信データの送信停止が指定された場合、現在の通信データの送信速度に応じて予め決められた時間経過後に前記要求信号を前記受信側装置に送信することを特徴とするフロー制御システム。
【請求項２】
請求項１に記載のフロー制御システムにおいて、
前記送信側装置は、
前記要求信号を前記受信側装置に送信する要求信号送信手段と、
時間を計測するためのタイマと、
前記受信側装置に対する通信データの送信速度に応じてタイムアウト値が予め設定されたタイムアウト値テーブルと、
前記タイムアウト値テーブルから現在の通信データの送信速度に応じて設定されたタイムアウト値を読み出し、保持するタイムアウト値保持手段と、
前記速度指示信号によって送信停止が指定された場合に前記タイマを起動するタイマ開始／停止指示手段と、
前記タイマにおける計測値を読み出すタイマ値リード手段と、
前記タイムアウト値保持手段にて保持されたタイムアウト値と前記タイマ値リード手段にて読み出されたタイマ値とを比較し、前記タイマ値が前記タイムアウト値以上となった場合にタイムアウトしたことを前記要求信号送信手段に通知する比較手段とを有し、
前記要求信号送信手段は、前記比較手段からタイムアウトしたことが通知された場合に前記受信側装置に前記要求信号を送信することを特徴とするフロー制御システム。
【請求項３】
請求項２に記載のフロー制御システムにおいて、
前記送信側装置は、前記受信側装置に送信する通信データが格納されたバッファの状態を前記要求信号の送信とともに前記受信側装置に通知することを特徴とするフロー制御システム。
【請求項４】
請求項２または請求項３に記載のフロー制御システムにおいて、
通信回線上の通信データの送信速度と、前記通信データの送信側装置のバッファ内の通信データの量とに基づいて、前記タイムアウト値テーブルのタイムアウト値を設定するタイムアウト値テーブル制御手段を有することを特徴とするフロー制御システム。
【請求項５】
通信データを通信回線上に送信する送信側装置と、前記送信側装置から送信された通信データを受信するとともに、前記送信側装置からの通信データの送信速度あるいは送信停止を指定するための速度指示信号を前記送信側装置に送信する受信側装置との間にて、前記速度指示信号によって通信データの送信速度が指定された場合、該送信速度で前記送信側装置から前記受信側装置へ通信データを送信するフロー制御方法であって、
前記速度指示信号によって通信データの送信停止が指定された場合、送信停止が指定されてから現在の送信速度に応じて予め決められた時間経過後に、送信停止解除を要求する要求信号を前記送信側装置から前記受信側装置に送信するフロー制御方法。
【請求項６】
請求項５に記載のフロー制御方法において、
前記受信側装置に送信される通信データが格納された前記送信側装置内のバッファの状態を前記要求信号の送信とともに前記送信側装置から前記受信側装置に通知することを特徴とするフロー制御方法。
【発明の詳細な説明】
【技術分野】
【０００１】
本発明は、通信回線を介して複数拠点間にて通信を行う際のフロー制御システム及びフロー制御方法に関する。
【背景技術】
【０００２】
従来より、通信回線を介して複数拠点間にて通信を行う通信システムにおいては、送受信されるパケットやセル等の通信データが破棄されないようにするためにフロー制御が行われている。
【０００３】
例えば、入力バッファ内のセル数を監視しておき、セル数がしきい値を超えた場合に送信停止指示を出力し、その後、セル数がしきい値以下となった場合に送信停止解除指示を出力し、それにより、ノード間にてセルが破棄されることを回避する技術が考えられている（例えば、特許文献１参照。）。
【０００４】
また、無線基地局において、通信を行っている端末との無線区間の状態や無線基地局にパケットデータを送信する制御ノードのバッファの状態に基づいて、制御ノードから無線基地局へのパケットデータの送信速度を決定してこの送信速度を示す速度指示信号を制御ノードに送信し、この速度指示信号によって指定される送信速度で制御ノードから無線基地局にパケットデータを送信することも行われている。この技術においては、無線基地局から制御ノードに送信される速度指示信号にて送信速度が“０”に指定された場合、制御ノードからの無線基地局に対するパケットデータの送信停止が指定されることになる。すなわち、無線基地局においては、例えば、端末との無線区間がかなりの輻輳状態となっている場合、送信速度が“０”となる速度指示信号を制御ノードに対して送信し、それにより、制御ノードにおいては無線基地局に対するパケットデータの送信が停止されることになる。その後、制御ノードから無線基地局に対してパケットデータを送信するためには、送信速度が“０”以外となる速度指示信号が無線基地局から制御ノードに送信されてくる必要があるため、制御ノードにおいては、送信速度が“０”となる速度指示信号が受信されてから一定時間後に、送信停止解除を要求するための信号をバッファの状態とともに無線基地局に対して送信する。すると、無線基地局において、通信を行っている端末との無線区間の状態や制御ノードのバッファの状態に基づいて、制御ノードから無線基地局へのパケットデータの送信速度を再度決定してこの送信速度を示す速度指示信号を制御ノードに送信することになる。
【特許文献１】特開平７−２８３８１７号公報
【発明の開示】
【発明が解決しようとする課題】
【０００５】
しかしながら、上述したように、通信回線を介して通信を行う複数拠点間において、通信データを受信する側から速度指示信号を用いて送信停止を指示し、その後、通信データを送信する側から送信停止解除を要求するものにおいては、通信データを送信する側において送信停止を指示する速度指示信号を受信してから送信停止解除を要求するまでの時間が通信データの送信速度によらずに一律に決められているため、トラヒックに偏りがあり絶えず送信速度が変化する回線に対しては、送信停止解除の要求が有効に実現できていないという問題点がある。
【０００６】
本発明は、上述したような従来の技術が有する問題点に鑑みてなされたものであって、トラヒックに偏りがあり絶えず送信速度が変化する回線に対しても送信停止解除の要求を有効に実現することができるフロー制御システム及びフロー制御方法を提供することを目的とする。
【課題を解決するための手段】
【０００７】
上記目的を達成するために本発明は、
通信データを通信回線上に送信する送信側装置と、前記送信側装置から送信された通信データを受信するとともに、前記送信側装置からの通信データの送信速度あるいは送信停止を指定するための速度指示信号を前記送信側装置に送信する受信側装置とを有し、前記送信側装置は、前記受信側装置から送信された前記速度指示信号によって通信データの送信速度が指定された場合、該送信速度で通信データを送信し、前記速度指示信号によって通信データの送信停止が指定された場合、送信停止が指定されてから所定時間経過後に、送信停止解除を要求する要求信号を前記受信側装置に送信するフロー制御システムにおいて、
前記送信側装置は、前記速度指示信号によって通信データの送信停止が指定された場合、現在の通信データの送信速度に応じて予め決められた時間経過後に前記要求信号を前記受信側装置に送信することを特徴とする。
【０００８】
また、前記送信側装置は、
前記要求信号を前記受信側装置に送信する要求信号送信手段と、
時間を計測するためのタイマと、
前記受信側装置に対する通信データの送信速度に応じてタイムアウト値が予め設定されたタイムアウト値テーブルと、
前記タイムアウト値テーブルから現在の通信データの送信速度に応じて設定されたタイムアウト値を読み出し、保持するタイムアウト値保持手段と、
前記速度指示信号によって送信停止が指定された場合に前記タイマを起動するタイマ開始／停止指示手段と、
前記タイマにおける計測値を読み出すタイマ値リード手段と、
前記タイムアウト値保持手段にて保持されたタイムアウト値と前記タイマ値リード手段にて読み出されたタイマ値とを比較し、前記タイマ値が前記タイムアウト値以上となった場合にタイムアウトしたことを前記要求信号送信手段に通知する比較手段とを有し、
前記要求信号送信手段は、前記比較手段からタイムアウトしたことが通知された場合に前記受信側装置に前記要求信号を送信することを特徴とする。
【０００９】
また、前記送信側装置は、前記受信側装置に送信する通信データが格納されたバッファの状態を前記要求信号の送信とともに前記受信側装置に通知することを特徴とする。
【００１０】
また、通信回線上の通信データの送信速度と、前記通信データの送信側装置のバッファ内の通信データの量とに基づいて、前記タイムアウト値テーブルのタイムアウト値を設定するタイムアウト値テーブル制御手段を有することを特徴とする。
【００１１】
また、通信データを通信回線上に送信する送信側装置と、前記送信側装置から送信された通信データを受信するとともに、前記送信側装置からの通信データの送信速度あるいは送信停止を指定するための速度指示信号を前記送信側装置に送信する受信側装置との間にて、前記速度指示信号によって通信データの送信速度が指定された場合、該送信速度で前記送信側装置から前記受信側装置へ通信データを送信するフロー制御方法であって、
前記速度指示信号によって通信データの送信停止が指定された場合、送信停止が指定されてから現在の送信速度に応じて予め決められた時間経過後に、送信停止解除を要求する要求信号を前記送信側装置から前記受信側装置に送信する。
【００１２】
また、前記受信側装置に送信される通信データが格納された前記送信側装置内のバッファの状態を前記要求信号の送信とともに前記送信側装置から前記受信側装置に通知することを特徴とする。
【００１３】
上記のように構成された本発明においては、送信側装置から送信された通信データを受信する受信側装置から、送信側装置からの通信データの送信停止を指定するための速度指示信号が送信された場合、送信側装置において、送信停止が指定されてから現在の送信側装置における通信データの送信速度に応じて予め決められた時間経過後に、送信停止解除を要求する要求信号が受信側装置に送信されることになる。
【発明の効果】
【００１４】
以上説明したように本発明においては、受信側装置にて送信側装置からの通信データの送信停止が指定されてから現在の送信側装置における通信データの送信速度に応じて予め決められた時間経過後に、送信停止解除を要求する要求信号が送信側装置から受信側装置に送信される構成としたため、トラヒックに偏りがあり絶えず送信速度が変化する回線に対しても送信停止解除の要求を有効に実現することができる。
【発明を実施するための最良の形態】
【００１５】
以下に、本発明の実施の形態について図面を参照して説明する。
【００１６】
図１は、本発明のフロー制御システムの実施の一形態を示すブロック図であり、また、図２は、図１に示したタイマ制御部の構成を示す図である。
【００１７】
本形態は図１に示すように、所定の宛先を有する固定長あるいは可変長のパケットデータが通過しているデータ回線５０にパケットデータを送信する送信側装置である送信ブロック２０と、送信ブロック２０から送信されたパケットデータをデータ回線５０を介して受信し、また、送信ブロック２０からのパケットデータの送信速度あるいは送信停止を指定する速度指示信号５１を送信ブロック２０に送信する受信側装置である受信ブロック１０と、送信ブロック２０内に設けられたテーブルを制御するタイムアウト値テーブル制御ブロック４０とから構成されており、送信ブロック２０は、受信ブロック１０から送信されてきた速度指示信号５１に応じた速度でパケットデータをデータ回線５０に送信し、また、受信ブロック１０から送信されてきた速度指示信号５１によって受信ブロック１０に対するパケットデータの送信停止が指定された場合に、受信ブロック１０に対するパケットデータの送信停止が指定されてから、送信ブロック２０における現在のパケットデータの送信速度に応じて予め設定された時間経過後、送信停止解除を要求するための要求信号５２を受信ブロック１０に送信する。
【００１８】
また、送信ブロック２０は、受信ブロック１０から送信されてきた速度指示信号５１を受信し、受信した速度指示信号５１にて指定された送信速度をチェック、保持及び出力する速度指示信号チェック／保持部２１と、受信ブロック１０に送信されるパケットデータが一時格納されている回線バッファ２２と、回線バッファ２２を管理し、回線バッファ２２に格納されたパケットデータを速度指示信号チェック／保持部２１から出力された送信速度によってデータ回線５０に送信する回線バッファ管理部２３と、時間を測定するためのタイマ２４と、受信ブロック１０に対して送信停止解除を要求するための要求信号５２を送信する要求信号送信部２５と、タイマ２４の動作を制御するとともに、要求信号送信部２５からの要求信号５２の送信タイミングを制御するタイマ制御部３０とから構成されている。
【００１９】
また、タイマ制御部３０は図２に示すように、タイムアウト値テーブル制御ブロック４０によって送信ブロック２０からのパケットデータの送信速度に応じて設定されたタイムアウト値が送信速度と対応づけて設定されたタイムアウト値テーブル３５と、速度指示信号チェック／保持部２１から出力された送信速度に応じて設定されたタイムアウト値をタイムアウト値テーブル３５から読み出して保持するタイムアウト値保持部３１と、タイマ２４の開始及び停止を制御するタイマ開始／停止制御部３４と、タイマ２４における測定値を読み出すタイマ値リード部３３と、タイムアウト値保持部３１にて保持されたタイムアウト値とタイマ値リード部３３にて読み出された測定値とを比較して比較結果を要求信号送信部２５に出力する比較部３２とから構成されている。
【００２０】
上記のように構成されたフロー制御システムにおいては、受信ブロック１０と送信ブロック２０とが、所定の宛先を持つ固定長あるいは可変長のパケットデータが通過しているデータ回線５０を介してパケットデータを送受信する。その際、受信ブロック１０においては、送信ブロック２０からのパケットデータの送信速度を指定するための速度指示信号５１を送信ブロック２０に対して送信し、送信ブロック２０においては、受信ブロック１０から送信されてきた速度指示信号５１によって指定された送信速度により、回線バッファ２３に一時格納されているパケットデータをデータ回線５０を介して受信ブロック１０に送信する。
【００２１】
また、送信ブロック２０においては、受信ブロック１０から送信されてきた速度指示信号５１にて送信速度が“０”に指定された場合、送信ブロック２０における現在の送信速度に応じてタイムアウト値テーブル３５に設定されたタイムアウト値による時間経過後に、“０”でない速度を指定する速度指示信号５１を送信することを要求する要求信号５２を回線バッファ２２の状態とともに送信する。受信ブロック１０においては、送信ブロック２０から送信されてきた要求信号５１を受信すると、“０”でない送信速度を指定する速度指示信号５１を送信ブロック２０へ送信する。このようにしてフロー制御を実現している。
【００２２】
以下に、上述したフロー制御システムにおけるフロー制御方法についてフローチャートを参照して詳細に説明する。
【００２３】
図３は、図１及び図２に示したフロー制御システムにおけるフロー制御方法を説明するための図である。
【００２４】
受信ブロック１０と送信ブロック２０との間にてデータ回線５０を介してパケットデータを送受信している状態においては、送信ブロック２０の速度指示信号チェック／保持部２１において、受信ブロック１０から送信されてきた速度指示信号５１が常時チェックされ、保持される（ステップＳ１）。なお、受信ブロック１０から送信される速度指示信号５１は、送信ブロック２０からのパケットデータの送信速度を指定するものであって、送信速度として“０”が指定された場合、送信ブロック２０からのパケットデータの送信停止が指定される。
【００２５】
速度指示信号チェック／保持部２１にてチェックされた結果、速度指示信号５１によって指定される送信速度が“０”以外である場合（ステップＳ２）、速度指示信号チェック／保持部２１からタイマ制御部３０に対してタイマを停止する指示が出力されるとともに（ステップＳ３）、指定された送信速度が回線バッファ管理部２３に出力され、回線バッファ管理部２３において、回線バッファ２３に一時格納されているパケットデータが、速度指示信号チェック／保持部２１から出力された送信速度でデータ回線５０を介して受信ブロック１０に送信される（ステップＳ４）。
【００２６】
一方、速度指示信号チェック／保持部２１にてチェックされた結果、速度指示信号５１によって指定される送信速度が、送信ブロック２０からのパケットデータの送信停止を指定する“０”である場合は、まず、回線バッファ２２にパケットデータが格納されているかどうかを確認するための指示が速度指示信号チェック／保持部２１から回線バッファ管理部２３に出力され、回線バッファ管理部２３において、回線バッファ２２にパケットデータが格納されているかどうかが確認される（ステップＳ５）。
【００２７】
回線バッファ管理部２３にて回線バッファ２２にパケットデータが格納されているかどうかが確認された結果、回線バッファ２２にパケットデータが格納されていない場合（ステップＳ６）、その旨が速度指示信号チェック／保持部２１に通知され、速度指示信号チェック／保持部２１からタイマ制御部３０に対してタイマを停止する指示が出力され（ステップＳ７）、その後、ステップＳ１における処理に戻り、上述した処理を繰り返す。
【００２８】
また、回線バッファ管理部２３にて回線バッファ２２にパケットデータが格納されているかどうかが確認された結果、回線バッファ２２にパケットデータが格納されている場合は、まず、速度指示信号チェック／保持部２１にてタイマ２４が動作中であるかどうかが確認され（ステップＳ８）、タイマ２４が動作中ではない場合、受信ブロック１０から送信されてきた速度指示信号５１によって送信速度が“０”に指定される前の状態で速度指示信号チェック／保持部２１に保持されていた送信速度が、速度指示信号チェック／保持部２１からタイマ制御部３０内のタイムアウト値保持部３１に出力される（ステップＳ９）。すなわち、速度指示信号チェック／保持部２１においては、現在の送信ブロック２０からのパケットデータの送信速度がタイムアウト値保持部３１に送信されることになる。
【００２９】
タイムアウト値保持部３１においては、速度指示信号チェック／保持部２１から出力された送信速度に応じて設定されたタイムアウト値がタイムアウト値テーブル３５から読み出され、保持される（ステップＳ１０）。
【００３０】
図４は、図２に示したタイムアウト値テーブル３５の構成を示す図である。
【００３１】
図４に示すように、本形態におけるタイムアウト値テーブル３５においては、速度指示信号５１によって指定されるパケットデータの送信速度に応じてタイムアウト値がそれぞれ予め設定されている。このタイムアウト値は、タイムアウト値テーブル制御ブロック４０において、例えば、同様のフロー制御システムで実際に測定された、データ回線における通信データの送信速度と回線バッファに発生するパケットデータ量とに基づいて、有効なフロー制御が行われるようなタイムアウト値が通信データの送信速度に応じて予め算出され、設定されている。
【００３２】
また、回線バッファ２２にパケットデータが格納されていることは回線バッファ管理部２３からタイマ開始／停止制御部３４にも通知され、タイマ開始／停止制御部３４の制御によってタイマ２４が起動される（ステップＳ１１）。
【００３３】
ここで、タイマ値リード部３３においては、タイマ２４におけるタイマ値が常に読み出され、読み出された測定値が比較部３２に出力されている。そこで、比較部３２においては、タイムアウト値保持部３１にて保持されているタイムアウト値と、タイマ値リード部３３から出力されたタイマ値とが比較され（ステップＳ１２）、タイマ値がタイムアウト値以上となった場合、タイムアウトしたと判断され、要求信号送信部２５にその旨が出力されるとともに（ステップＳ１３）、タイマ開始／停止制御部３４にタイマ２４を停止させる指示が出力される（ステップＳ１４）。
【００３４】
要求信号送信部２５においては、タイムアウトしたことが比較部３２から通知されると、“０”以外の送信速度を指定する速度指示信号５１を要求する要求信号５２が受信ブロック１０に対して出力される（ステップＳ１５）。
【００３５】
その後、速度指示信号チェック／保持部２１にて速度指示信号２１が確認されるまで要求信号送信部２５から要求信号５２が送信され続け、速度指示信号チェック／保持部２１にて速度指示信号２１が確認された後、タイマ開始／停止制御部３４における制御によってタイマ２４が停止する。
【００３６】
上述した一連の動作を繰り返すことにより、送信ブロック２０からのパケットデータの送信を停止するための速度指示信号５１が受信ブロック１０から送信され、送信ブロック２０にて受信、確認されてから送信停止解除を要求するための要求信号５２が送信ブロック２０から送信されるまでの時間を、送信速度が“０”で指定される前の状態で速度指示信号チェック／保持部２１に保持されていた送信速度、すなわち、現在の送信ブロック２０からのパケットデータの送信速度に応じて設定することができ、それにより、トラヒックに偏りがあり絶えず送信速度が変化する回線に対して、有効な送信停止解除の要求をし、有効なフロー制御を実現することができる。
【００３７】
以下に、上述したフロー制御システムの具体的なシステムへの適用例について説明する。
【００３８】
図５は、図１及び図２に示したフロー制御システムの具体的な適用例を示す図である。
【００３９】
本例は図５に示すように、図１及び図２に示したフロー制御システムを、受信ブロック１０を無線基地局１とし、送信ブロック２０を制御ノード２とし、制御ノード２から無線基地局１を経由して端末３へのデータルートにて、制御ノード２と無線基地局１との間におけるパケットデータの送信速度についてのフロー制御を行うモバイルネットワークシステムに適用したものである。
【００４０】
無線基地局１からは、端末３及び、無線基地局１と端末３との間の無線区間の状態、並びに、制御ノード２の回線バッファの状態に応じた送信速度で制御ノード２からパケットデータを送信することを指定するための速度指示信号が送信される。
【００４１】
すると、制御ノード２においては、無線基地局１から送信されてきた速度指示信号によって指定される送信速度でパケットデータが無線基地局１に送信される。
【００４２】
このように無線基地局１と制御ノード２との間にてパケットデータの送受信中に、無線基地局１において、端末３及び、無線基地局１と端末３との間の無線区間の状態から、これ以上パケットデータを受信できないと判断された場合、送信停止を指定するための速度指示信号が無線基地局１から制御ノード２に送信される。ここで、無線基地局１から送信される送信停止を指定するための速度指示信号とは、上述したように送信速度が“０”となる速度指示信号である。
【００４３】
すると、制御ノード２においては、内部の回線バッファに送信すべきパケットデータがあるにも関わらず送信停止状態となり、その後、送信停止状態となる前の送信速度に応じた時間の経過後、送信停止解除を要求する要求信号が回線バッファ内の状態とともに無線基地局１に対して送信される。
【００４４】
このように、制御ノード２が送信停止状態となってから要求信号が送信されるまでの時間が、送信停止状態となる前の送信速度に応じて設定されるので、回線速度に対して効率的な要求ができることになる。例えば、高速の通信を行っている場合には、端末３に速くパケットデータを送信するためにも、制御ノード２から送信停止解除の要求信号を無線基地局１に頻繁に送信する必要がある。また、低速の通信を行っている場合には、高速通信時に比べて、端末３に速くパケットデータを送信する必要がないため、制御ノード２から送信停止解除の要求信号を無線基地局１に頻繁に送信する必要がない。必要がないにも関わらず送信停止解除の要求信号を送信した場合、トラフィックに影響を与えてしまうため、それを避けるためにも要求信号を送信する間隔を長く設定する。
【００４５】
また、この際、制御ノード２からは、送信停止解除の要求信号とともに制御ノード２内の回線バッファの状態が無線基地局１に通知されるので、無線基地局１においては、制御ノード２からのパケットデータの送信速度に応じた時間間隔で制御ノード２内の状態を知ることが可能となり、制御ノード２と無線基地局１との間では無駄なトラヒックが発生することを避けることができる。
【００４６】
なお、図５に示したものにおいては、制御ノード２において、制御ノード２内の回線バッファの状態を要求信号とともに無線基地局１に通知し、無線基地局１において、端末３及び、無線基地局１と端末３との間の無線区間の状態、並びに、制御ノード２の回線バッファの状態に応じた送信速度で制御ノード２からパケットデータを送信することを指定するための速度指示信号を送信しているが、制御ノード２内の回線バッファの状態を無線基地局１に通知することなく、無線基地局１において、端末３及び、無線基地局１と端末３との間の無線区間の状態に応じた送信速度で制御ノード２からパケットデータを送信することを指定するための速度指示信号を送信する構成とすることも考えられる。
【００４７】
また、図５においては、図１及び図２に示したフロー制御システムをモバイルネットワークシステムに適用した例を示したが、フロー制御を行う他のシステムにおいても、上記同様に本発明のフロー制御システムを適用することができる。
【図面の簡単な説明】
【００４８】
【図１】本発明のフロー制御システムの実施の一形態を示すブロック図である。
【図２】図１に示したタイマ制御部の構成を示す図である。
【図３】図１及び図２に示したフロー制御システムにおけるフロー制御方法を説明するための図である。
【図４】図２に示したタイムアウト値テーブルの構成を示す図である。
【図５】図１及び図２に示したフロー制御システムの具体的な適用例を示す図である。
【符号の説明】
【００４９】
１    無線基地局
２    制御ノード
３    端末
１０    受信ブロック
２０    送信ブロック
２１    速度指示信号チェック／保持部
２２    回線バッファ
２３    回線バッファ管理部
２４    タイマ
２５    要求信号送信部
３０    タイマ制御部
３１    タイムアウト値保持部
３２    比較部
３３    タイマ値リード部
３４    タイマ開始／停止指示部
３５    タイムアウト値テーブル
４０    タイムアウト値テーブル制御ブロック
５０    データ回線
５１    速度指示信号
５２    要求信号
【図１】
2005340914.tif 000003
【図２】
2005340914.tif 000004
【図３】
2005340914.tif 000005
【図４】
2005340914.tif 000006
【図５】
2005340914.tif 000007